(57)【要約】      （修正有）【課題】カラー用ラインセンサにて読み取った画像をモノクロセンサにて読み取った画像を用いて解像度変換可能な画像読取装置において、読み取り対象物上の画像の種別に応じた、適切な解像度変換処理の使い分けを実現するための技術を提供する。【解決手段】第１の解像度で読み取り対象物からモノクロでの画像読み取りを行なう第１の画像読取部と、前記第１の解像度よりも低い第２の解像度で読み取り対象物からカラーでの画像読み取りを行なう第２の画像読取部と、読み取り対象物上の画像が、輝度解像度を優先する第１の画像種別および色再現性を優先する第２の画像種別の内いずれに該当するかを判別する種別判別部と、前記種別判別部にて前記第１の画像種別であると判別される場合に、前記第２の画像読取部にて読み取られる画像データに対して、前記第１の画像読取部にて読み取られる画像データを用いて解像度を高める解像度変換処理を実行させる。【選択図】図１
2008193684.tif 000002
【特許請求の範囲】
【請求項１】
第１の解像度で読み取り対象物からモノクロでの画像読み取りを行なう第１の画像読取部と、
前記第１の解像度よりも低い第２の解像度で読み取り対象物からカラーでの画像読み取りを行なう第２の画像読取部と、
読み取り対象物上の画像が、輝度解像度を優先する第１の画像種別および色再現性を優先する第２の画像種別の内いずれに該当するかを判別する種別判別部と、
前記種別判別部にて前記第１の画像種別であると判別される場合に、前記第２の画像読取部にて読み取られる画像データに対して、前記第１の画像読取部にて読み取られる画像データを用いて解像度を高める解像度変換処理を実行させる処理実行部と
を備えてなる画像読取装置。
【請求項２】
請求項１に記載の画像読取装置において、
前記所定の解像度変換処理は、前記第２の画像読取部にて読み取られる画像データを、色度信号と輝度信号とに分離し、該輝度信号を前記第１の画像読取部にて読み取られる画像データの輝度信号に置き換える処理である画像読取装置。
【請求項３】
請求項１に記載の画像読取装置において、
第１の画像種別の画像とは文字または線画を含む画像であり、第２の画像種別とは写真を含む画像である画像読取装置。
【請求項４】
請求項１に記載の画像読取装置において、
ユーザの操作入力を受け付ける操作入力部を備え、
前記種別判別部は、前記操作入力部への操作入力に基づいて、読み取り対象物上の画像の画像種別を判別する画像読取装置。
【請求項５】
請求項１に記載の画像読取装置において、
前記種別判別部は、前記第１および第２の画像読取部にて読み取られる画像データに基づいて、読み取り対象物上の画像の画像種別を判別する画像読取装置。
【請求項６】
請求項１に記載の画像読取装置において、
前記処理実行部は、前記種別判別部にて前記第１の画像種別であると判別される場合にのみ、前記第１の画像読取部にて読み取られる画像データを用いて、前記第２の画像読取部にて読み取られる画像データの解像度を、前記第１の解像度まで高める解像度変換処理を実行させる画像読取装置。
【請求項７】
第１の解像度で読み取り対象物からモノクロでの画像読み取りを行なう第１の画像読取ステップと、
前記第１の解像度よりも低い第２の解像度で読み取り対象物からカラーでの画像読み取りを行なう第２の画像読取ステップと、
読み取り対象物上の画像が、輝度解像度を優先する第１の画像種別および色再現性を優先する第２の画像種別の内いずれに該当するかを判別する種別判別ステップと、
前記種別判別ステップにて前記第１の画像種別であると判別される場合に、前記第２の画像読取ステップにて読み取られる画像データに対して、前記第１の画像読取ステップにて読み取られる画像データを用いて解像度を高める解像度変換処理を実行させる処理実行ステップと
を備えてなる画像読取方法。
【請求項８】
請求項７に記載の画像読取方法において、
前記所定の解像度変換処理は、前記第２の画像読取ステップにて読み取られる画像データを、色度信号と輝度信号とに分離し、該輝度信号を前記第１の画像読取ステップにて読み取られる画像データの輝度信号に置き換える処理である画像読取方法。
【請求項９】
請求項７に記載の画像読取方法において、
第１の画像種別の画像とは文字または線画を含む画像であり、第２の画像種別とは写真を含む画像である画像読取方法。
【請求項１０】
請求項７に記載の画像読取方法において、
ユーザの操作入力を受け付ける操作入力ステップを備え、
前記種別判別ステップは、前記操作入力ステップでの操作入力に基づいて、読み取り対象物上の画像の画像種別を判別する画像読取方法。
【請求項１１】
請求項７に記載の画像読取方法において、
前記種別判別ステップは、前記第１および第２の画像読取ステップにて読み取られる画像データに基づいて、読み取り対象物上の画像の画像種別を判別する画像読取方法。
【請求項１２】
請求項７に記載の画像読取方法において、
前記処理実行ステップは、前記種別判別ステップにて前記第１の画像種別であると判別される場合にのみ、前記第１の画像読取ステップにて読み取られる画像データを用いて、前記第２の画像読取ステップにて読み取られる画像データの解像度を、前記第１の解像度まで高める解像度変換処理を実行させる画像読取方法。
【発明の詳細な説明】
【技術分野】
【０００１】
本発明は、画像読取装置における画像処理技術に関し、特に、原稿上の画像種別に応じて行なう画像処理の適正化技術に関するものである。
【背景技術】
【０００２】
従来、カラー画像を読み取ることのできる画像読取装置において、ＲＥＤ用ラインセンサ、ＧＲＥＥＮ用ラインセンサ、ＢＬＵＥ用ラインセンサの３ラインで構成された３ラインＣＣＤセンサが一般的に採用されている。３ラインＣＣＤセンサは、各々の受光面上にＲＥＤ、ＧＲＥＥＮ、ＢＬＵＥの色フィルタを配置した３つの１次元上のラインセンサを並べた構成となっている。
【０００３】
また近年、上記従来の画像読取装置に備えられた３ラインＣＣＤセンサに加え、モノクロ画像の読み取りのために、受光面上に色フィルタを配置しないモノクロ読み取り用のラインセンサを更に加えて、４ライン構成とした４ラインＣＣＤセンサも開示されている。
【０００４】
上記４ラインＣＣＤセンサを備えた従来の画像読取装置では、モノクロ読み取り用のラインセンサの読み取り解像度が、カラー読み取り用のラインセンサの読み取り解像度よりも高く設定されている。これにより、カラー用ラインセンサにて読み取った低解像度の画像を、モノクロ用ラインセンサにて読み取った高解像度の画像データを用いて、高解像度に変換することが可能となる。
画像読取装置にて画像を読み取る原稿には、大きく分けて、輝度の解像度が優先されるべき文字画像や線画画像と、色再現性が優先されるべき写真画像とがある。
【発明の開示】
【発明が解決しようとする課題】
【０００５】
上記４ラインＣＣＤセンサを備えた従来の画像読取装置にて、カラー用ラインセンサにて読み取った画像をモノクロセンサにて読み取った画像を用いて解像度変換する場合、カラー画像の解像度を高めることはできるものの、当該カラー画像データが保持していた色バランス等の色再現性に悪影響（例えば、色バランスの崩れ等）を及ぼす場合がある。
【０００６】
このような色再現性への影響は、写真画像のように色再現性を重要視する画像の場合には極力抑えるべきであり、原稿の画像種別に応じた画像処理の適切な使い分けが求められている。
【０００７】
本発明は上述した問題点を解決するためになされたものであり、カラー用ラインセンサにて読み取った画像をモノクロセンサにて読み取った画像を用いて解像度変換可能な画像読取装置において、読み取り対象物上の画像の種別に応じた、適切な解像度変換処理の使い分けを実現するための技術を提供することを目的とする。
【課題を解決するための手段】
【０００８】
上述した課題を解決するため、本発明の一態様に係る画像読取装置は、第１の解像度で読み取り対象物からモノクロでの画像読み取りを行なう第１の画像読取部と、前記第１の解像度よりも低い第２の解像度で読み取り対象物からカラーでの画像読み取りを行なう第２の画像読取部と、読み取り対象物上の画像が、輝度解像度を優先する第１の画像種別および色再現性を優先する第２の画像種別の内いずれに該当するかを判別する種別判別部と、前記種別判別部にて前記第１の画像種別であると判別される場合に、前記第２の画像読取部にて読み取られる画像データに対して、前記第１の画像読取部にて読み取られる画像データを用いて解像度を高める解像度変換処理を実行させる処理実行部とを備えてなることを特徴とするものである。
【０００９】
また、本発明の一態様に係る画像読取方法は、第１の解像度で読み取り対象物からモノクロでの画像読み取りを行なう第１の画像読取ステップと、前記第１の解像度よりも低い第２の解像度で読み取り対象物からカラーでの画像読み取りを行なう第２の画像読取ステップと、読み取り対象物上の画像が、輝度解像度を優先する第１の画像種別および色再現性を優先する第２の画像種別の内いずれに該当するかを判別する種別判別ステップと、前記種別判別ステップにて前記第１の画像種別であると判別される場合に、前記第２の画像読取ステップにて読み取られる画像データに対して、前記第１の画像読取ステップにて読み取られる画像データを用いて解像度を高める解像度変換処理を実行させる処理実行ステップとを備えてなることを特徴とするものである。
【発明の効果】
【００１０】
以上に詳述したように本発明によれば、カラー用ラインセンサにて読み取った画像をモノクロセンサにて読み取った画像を用いて解像度変換可能な画像読取装置において、読み取り対象物上の画像の種別に応じた、適切な解像度変換処理の使い分けを実現するための技術を提供することができる。
【発明を実施するための最良の形態】
【００１１】
以下、本発明の実施の形態について図面を参照しつつ説明する。
【００１２】
（第１の実施の形態）
まず、本発明の第１の実施の形態について説明する。本実施の形態による画像読取装置Ｍは、例えばMFP（Multi Function Peripheral）であるものとする。
【００１３】
図１は、本発明の第１の実施の形態による画像読取装置Ｍの概略構成について説明するための概略構成図である。
【００１４】
本実施の形態による画像読取装置Ｍは、光源１、光源１の配光特性の補正を行なうリフレクタ２、第１ミラー３、第２ミラー５、第３ミラー６、集光レンズ８、ＣＣＤラインセンサ９、ＣＣＤラインセンサ９の制御および各種処理を行なう制御基板１１、白色の基準となる白基準板１２、原稿ｏｒｇを置くための原稿ガラス１３、原稿ｏｒｇが浮かないように固定するための原稿押さえカバー１４、および上記すべての構成を配置するためのスキャナ筐体１５を備えてなる構成となっている。
【００１５】
なお、光源１、リフレクタ２および第１ミラー３から第１キャリジ４が構成され、第２ミラー５および第３ミラー６から第２キャリジ７が構成されている。また、ＣＣＤラインセンサ９は、ＣＣＤセンサ基板１０に実装されている。これら第１キャリジ４、第２キャリジ７および集光レンズ８は、走査光学系を構成している。この走査光学系は、第１キャリジ４および第２キャリジ７が副走査方向（図１における左右方向を向くＨ方向）に移動可能となっており、第１キャリジ４が第２キャリジ７の移動速度（Ｖ）の２倍の移動速度（２Ｖ）で移動するようになっている。
【００１６】
まず、図１を用いて、本実施の形態による画像読取装置Ｍの概略動作を説明する。
【００１７】
光源１から照射された光は原稿ガラス１３を透過し、原稿ｏｒｇに照射される。ここで、光源１から照射される光の配光は一様でなく、原稿ｏｒｇ上の照度に配光ムラが生じてしまうため、リフレクタ２からの反射光も原稿ｏｒｇに照射することで、原稿ｏｒｇ上の配光を一様にする構成としている。
【００１８】
原稿ｏｒｇからの反射光は、第１ミラー３、第２ミラー５、第３ミラー６で反射し、集光レンズ８を透過してＣＣＤラインセンサ９の受光面に結像する。ＣＣＤラインセンサ９はＣＣＤセンサ基板１０上に実装され、制御基板１１から入力される制御信号により制御される。制御基板１１の詳細については、後述する。
【００１９】
原稿押さえカバーは、原稿ガラス１３上に置かれた原稿ｏｒｇの読み取り面が原稿ガラス１３に密着するように押さえつけるものである。
【００２０】
ＣＣＤラインセンサ９の構成の詳細については後述するが、ＣＣＤラインセンサ９から出力されるアナログ信号は、各光電変換部の変換効率ばらつきによる高周波歪と、集光レンズ８を用いた縮小光学系であることに起因する収差からなる低周波歪を含んでいるため、正規化補正を行なうため基準となるデータが必要となる。図１に示す構成では、上記基準データは、白基準板１２を読み取った際の画像データである。
【００２１】
続いて、制御基板１１の構成の詳細について説明する。図２は、制御基板１１の構成について説明するための図である。
【００２２】
制御基板１１は、各種処理を行なう処理ＩＣ１１Ａと、各種タイミングを生成する各種タイミング生成回路１１Ｂと、ＣＣＤラインセンサ９からのアナログ信号を処理し、アナログ信号をデジタル信号に変換するまでの処理を行なう各種アナログ処理回路１１Ｃと、各種アナログ処理回路１１Ｃから出力されるデジタル信号に対し、高周波及び低周波歪を補正するシェーディング補正や、複数のラインセンサ間のライン位置ズレを補正するためのライン間補正処理等の画像補正を行なう画像処理回路部１１Ｅと、ライン間補正処理を行なう際にライン単位で画像データを遅延させるためのラインメモリ回路１１Ｄとから構成されている。
【００２３】
また、この処理ＩＣ１１Ａは、ＣＣＤセンサ基板１０に実装するＣＣＤセンサ制御回路１０Ａの制御や、光源１の発光制御を行なう光源制御回路１６、前記、第１キャリジ４と第２キャリジ７を移動させるためのモータ１８を制御する駆動系制御回路１７も制御する。
【００２４】
ＣＣＤセンサ基板１０は、ＣＣＤラインセンサ９と、ＣＣＤラインセンサ９を駆動するためのＣＣＤセンサ制御回路１０Ａと、ＣＣＤセンサ制御回路１０Ａの出力を受け、ＣＣＤラインセンサ９の駆動条件に合わせるＣＣＤドライバ１０Ｂとから構成されている。
【００２５】
図３は、本発明の第１の実施の形態による画像読取装置ＭにおけるＣＣＤラインセンサ９の概略構成図である。ＣＣＤラインセンサ９は、ＲＥＤ用ラインセンサ９Ｒ、ＧＲＥＥＮ用ラインセンサ９Ｇ、ＢＬＵＥ用ラインセンサ９Ｂ、ＢＬＡＣＫ用ラインセンサ９Ｋの４つのラインセンサから構成されている。
【００２６】
これら４つのラインセンサは、副走査方向（走査光学系が移動する副走査方向に対応する方向であり、図１における上下方向を向くＨ方向）において互いに異なる位置に配置されている。同図に示すように、各ラインセンサは、フォトダイオードアレイ、シフトゲート、アナログシフトレジスタおよび出力ＡＭＰから構成されている。
【００２７】
まず、ＲＥＤ用のラインセンサ９Ｒでは、図示しないＲＥＤの色フィルタを受光面上に配置したＲＥＤフォトダイオードアレイ９Ｒ1の光電変換で入射光量に応じた電荷量に変換し、各フォトダイオードに電荷を蓄積する。蓄積された電荷はシフトゲート９Ｒ２に印加する制御信号ＳＨ１によりシフトゲート９Ｒ２を通りアナログシフトレジスタ９Ｒ３に転送される。アナログシフトレジスタ９Ｒ３に転送された電荷は制御信号φ１、φ２により順次後段の出力ＡＭＰ９Ｒ４の方に移動し、出力ＡＭＰ９Ｒ４から外部に出力される。そのときの出力信号をＯＵＴ１とする。
【００２８】
ＧＲＥＥＮ用のラインセンサ９Ｇでは、同様に図示しないＧＲＥＥＮの色フィルタを受光面上に配置したＧＲＥＥＮフォトダイオードアレイ９Ｇ1の光電変換で入射光量に応じた電荷量に変換し、各フォトダイオードに電荷を蓄積する。蓄積された電荷はシフトゲート９Ｇ２に印加する制御信号ＳＨ２によりシフトゲート９Ｇ２を通りアナログシフトレジスタ９Ｇ３に転送される。アナログシフトレジスタ９Ｇ３に転送された電荷は制御信号φ１、φ２により順次後段の出力ＡＭＰ９Ｇ４の方に移動し、出力ＡＭＰ９Ｇ４から外部に出力される。そのときの出力信号をＯＵＴ２とする。
【００２９】
同様に、ＢＬＵＥ用のラインセンサ９Ｂでは、図示しないＢＬＵＥの色フィルタを受光面上に配置したＢＬＵＥフォトダイオードアレイ９Ｂ1の光電変換で入射光量に応じた電荷量に変換し、各フォトダイオードに電荷を蓄積する。蓄積された電荷はシフトゲート９Ｂ２に印加する制御信号ＳＨ３によりシフトゲート９Ｂ２を通りアナログシフトレジスタ９Ｂ３に転送される。アナログシフトレジスタ９Ｂ３に転送された電荷は制御信号φ１、φ２により順次後段の出力ＡＭＰ９Ｂ４の方に移動し、出力ＡＭＰ９Ｂ４から外部に出力される。そのときの出力信号をＯＵＴ３とする。
【００３０】
同様に、ＢＬＡＣＫ用のラインセンサ９Ｋでは、色フィルタを受光面上に配置しないＢＬＡＣＫフォトダイオードアレイ９Ｋ1の光電変換で入射光量に応じた電荷量に変換し、各フォトダイオードに電荷を蓄積する。蓄積された電荷はシフトゲート９Ｋ２に印加する制御信号ＳＨ４によりシフトゲート９Ｋ２を通りアナログシフトレジスタ９Ｋ３に転送される。アナログシフトレジスタ９Ｋ３に転送された電荷は制御信号φ１、φ２により順次後段の出力ＡＭＰ９Ｋ４の方に移動し、出力ＡＭＰ９Ｋ４から外部に出力される。そのときの出力信号をＯＵＴ４とする。
【００３１】
図４は、各フォトダイオードアレイ、シフトゲート、アナログシフトレジスタ、出力ＡＭＰの配置について説明するための図である。
【００３２】
各フォトダイオードアレイ間の距離（副走査方向における距離）は、ＲＥＤフォトダイオードアレイ９Ｒ１、ＧＲＥＥＮフォトダイオードアレイ９Ｇ１、ＢＬＵＥフォトダイオードアレイ９Ｂ１それぞれの距離がｍライン、ＢＬＵＥフォトダイオードアレイ９Ｂ１とＢＬＡＣＫフォトダイオードアレイ９Ｋ１の距離がｎラインとする。
【００３３】
ここで、ＲＥＤフォトダイオードアレイ９Ｒ１、ＧＲＥＥＮフォトダイオードアレイ９Ｇ１、ＢＬＵＥフォトダイオードアレイ９Ｂ１に各フォトダイオードのサイズ（以下、画素サイズと記す）は、ＢＬＡＣＫフォトダイオードアレイ９Ｂ１の画素サイズよりも大きく設定されている。すなわち、ＲＥＤフォトダイオードアレイ９Ｒ１、ＧＲＥＥＮフォトダイオードアレイ９Ｇ１、ＢＬＵＥフォトダイオードアレイ９Ｂ１の画素数は、ＢＬＡＣＫフォトダイオードアレイ９Ｋ１よりも少ない。
【００３４】
図５は、本実施の形態におけるＣＣＤラインセンサにおけるフォトダイオードアレイの画素サイズについて説明するための図である。図６は、４ラインＣＣＤセンサ９を構成する各ラインセンサの関係を示す概略図である。
【００３５】
本実施の形態では、図５に示すように、ＢＬＡＣＫフォトダイオードアレイ９Ｋ１の画素サイズをａ×ａ、ＲＥＤフォトダイオードアレイ９Ｒ１、ＧＲＥＥＮフォトダイオードアレイ９Ｇ１、ＢＬＵＥフォトダイオードアレイ９Ｂ１の各画素サイズを（ａ×２）×（ａ×２）とすると、各フォトダイオードアレイの長手方向の長さはすべて同一のため、ＲＥＤフォトダイオードアレイ９Ｒ１、ＧＲＥＥＮフォトダイオードアレイ９Ｇ１、ＢＬＵＥフォトダイオードアレイ９Ｂ１の画素数はＢＬＡＣＫフォトダイオードアレイ９Ｋ１の画素数の半分となる。
【００３６】
ＢＬＡＣＫフォトダイオードアレイ９Ｋ１でＡ４サイズの長手方向である２９７ｍｍ幅を解像度６００ｄｐｉで読み取る場合、６００ｄｐｉ／２５．４ｍｍ×２９７ｍｍ＝７０１５．７となり、最低でも７０１６以上の画素数が必要となる。
【００３７】
ＣＣＤラインセンサ９の取り付け誤差や原稿ｏｒｇの置かれる場所の位置ズレ等を考慮すると、７０１６＋αの画素数が必要となるので、ここでは、ＢＬＡＣＫフォトダイオードアレイ９Ｋ１の画素数を７５００画素に設定している。この場合、ＧＲＥＥＮフォトダイオードアレイ９Ｇ１、ＢＬＵＥフォトダイオードアレイ９Ｂ１の画素数はＢＬＡＣＫフォトダイオードアレイ９Ｋ１の画素数は３７５０画素（７５００画素の半分）となる。
【００３８】
続いて、上記ＣＣＤラインセンサからの出力されるアナログ信号から、デジタル信号に変換して、歪み補正（以下シェーディング補正）やライン間補正などの画像処理を行なうまでの流れについて説明する。
【００３９】
図７は、本実施の形態による画像読取装置における処理の流れについて説明するための図である。
【００４０】
図３に示すＲＥＤラインセンサからのアナログ出力信号ＯＵＴ１は、ＣＣＤラインセンサの出力信号に含まれる直流信号成分を図示しない直列に配置したカップリングコンデンサで除去され、その後、図示しないサンプルホールド回路によりアナログ信号成分を安定化される。このようにして安定化したアナログ信号を、外部信号により増幅率の設定可能なゲインアンプ回路（図中ではＰＧＡ−ＲＥＤ）１１Ｃ１で振幅調整し、後段のアナログ信号をデジタル信号に変換するＡ／Ｄ変換機（図中ではＡＤＣ）１１Ｃ５でデジタル信号に変換する。デジタル信号に変換された画像信号は、後段の各種画像処理部１１Ｅに送られる。ＰＧＡについては、後述で詳しく説明する。
【００４１】
同様に、ＧＲＥＥＮラインセンサからのアナログ出力信号ＯＵＴ２は、ＣＣＤラインセンサの出力信号に含まれる直流信号成分を図示しない直列に配置したカップリングコンデンサで除去され、その後、図示しないサンプルホールド回路によりアナログ信号成分を安定化される。このようにして安定化したアナログ信号を、外部信号により増幅率の設定可能なゲインアンプ回路（図中ではＰＧＡ−ＧＲＥＥＮ）１１Ｃ２で振幅調整し、後段のアナログ信号をデジタル信号に変換するＡ／Ｄ変換機（図中ではＡＤＣ）１１Ｃ６でデジタル信号に変換する。デジタル信号に変換された画像信号は、後段の各種画像処理部１１Ｅに送られる。
【００４２】
同様に、ＢＬＵＥラインセンサからのアナログ出力信号ＯＵＴ３は、ＣＣＤラインセンサの出力信号に含まれる直流信号成分を図示しない直列に配置したカップリングコンデンサで除去され、その後、図示しないサンプルホールド回路によりアナログ信号成分を安定化される。このようにして安定化したアナログ信号を、外部信号により増幅率の設定可能なゲインアンプ回路（図中ではＰＧＡ−ＢＬＵＥ）１１Ｃ３で振幅調整し、後段のアナログ信号をデジタル信号に変換するＡ／Ｄ変換機（図中ではＡＤＣ）１１Ｃ７でデジタル信号に変換する。デジタル信号に変換された画像信号は後段の各種画像処理部１１Ｅに送られる。
【００４３】
同様に、ＢＬＡＣＫラインセンサからのアナログ出力信号ＯＵＴ４は、ＣＣＤラインセンサの出力信号に含まれる直流信号成分を図示しない直列に配置したカップリングコンデンサで除去され、その後、図示しないサンプルホールド回路によりアナログ信号成分を安定化される。このようにして安定化したアナログ信号を外部信号により増幅率の設定可能なゲインアンプ回路（図中ではＰＧＡ−ＢＬＡＣＫ）１１Ｃ４で振幅調整し、後段のアナログ信号をデジタル信号に変換するＡ／Ｄ変換機（図中ではＡＤＣ）１１Ｃ８でデジタル信号に変換する。そのデジタル信号に変換された画像信号は後段の各種画像処理部１１Ｅに送られる。
【００４４】
画像処理部１１Ｅでは、シェーディング補正、ライン間補正、ＢＬＡＣＫ出力信号を用いてＲＥＤ、ＧＲＥＥＮ、ＢＬＵＥそれぞれの出力信号を補正する処理などが行われ、エンジン部へ送られる。
【００４５】
図８は、本実施の形態による画像読取装置Ｍについて説明するための機能ブロック図である。
【００４６】
本実施の形態による画像読取装置Ｍは、第１の画像読取部１０１、第２の画像読取部１０２、種別判別部１０３、処理実行部１０４、操作入力部１０５、ＣＰＵ８０１、ＭＥＭＯＲＹ８０２および制御部８０３を備えてなる構成となっている。
【００４７】
操作入力部１０５は、例えばタッチパネルディスプレイや、キーボード、マウス等から構成されており、ユーザの操作入力を受け付ける。
【００４８】
第１の画像読取部１０１は、第１の解像度（例えば、６００ｄｐｉ）で読み取り対象物からモノクロでの画像読み取りを行なう。
【００４９】
第２の画像読取部１０２は、第１の解像度よりも低い第２の解像度（例えば、３００ｄｐｉ）で読み取り対象物からカラー（Ｒ、Ｇ、Ｂ）での画像読み取りを行なう。
【００５０】
種別判別部１０３は、読み取り対象物上の画像が、輝度解像度を優先する第１の画像種別および色再現性を優先する第２の画像種別の内いずれに該当するかを判別する。ここで、「第１の画像種別の画像」とは、例えば文字または線画を含む画像であり、「第２の画像種別の画像」とは、例えば写真を含む画像である。
【００５１】
種別判別部１０３は、操作入力部１０５への操作入力に基づいて、制御部８０３を介して、読み取り対象物上の画像の画像種別が、上記第１の画像種別および第２の画像種別の内のいずれであるかを判別する。種別判別部１０３における判別結果は、例えば、制御部８０３を介して、処理実行部１０４に対して直接送信してもよいし、制御部８０３を介して一度ＭＥＭＯＲＹ８０２に格納させておき、後に制御部８０３を介して処理実行部１０４に参照させるようにしてもよい。
【００５２】
処理実行部１０４は、種別判別部１０３にて第１の画像種別であると判別される場合に、第２の画像読取部１０２にて読み取られる画像データに対して、第１の画像読取部１０１にて読み取られる画像データを用いて解像度を高める解像度変換処理を実行させる。
【００５３】
具体的に、本実施の形態では、処理実行部１０４は、第１の画像読取部１０１にて読み取られる画像データを用いて、第２の画像読取部１０２にて読み取られる画像データの解像度を、「第１の解像度」まで高める（解像度変換処理）。
【００５４】
なお、ここでの「所定の解像度変換処理」とは、第２の画像読取部１０２にて読み取られる画像データを、色度信号と輝度信号とに分離し、該輝度信号を第１の画像読取部１０１にて読み取られる画像データの輝度信号に置き換える処理を意味している。
【００５５】
一般に、解像度の低いカラー画像データを、高解像度なモノクロ画像データを用いて、解像度を高めるように解像度変換を行なう場合、画像の解像度を高めることはできるものの、当該カラー画像データが保持していた色バランス等の色再現性に悪影響（例えば、色バランスの崩れ等）を及ぼす場合がある。
【００５６】
よって、本実施の形態に示す構成のように、読み取り対象物上の画像の画像種別が「文字モード」である場合には輝度解像度が優先されるように第２の画像読取部１０２にて読み取られる画像データに対して解像度変換処理を施して出力し、読み取り対象物上の画像の画像種別が「写真モード」である場合には色再現性が優先されるように第２の画像読取部１０２にて読み取られる画像データに対して解像度変換処理を行なうことなく他の所定の処理を施して出力する構成とすることにより、画像種別に応じた適切な画像処理を施すことが可能となり、ひいては読み取り画質の向上に寄与することができる。
【００５７】
ＣＰＵ８０１は、画像読取装置における各種処理を行なう役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、画像読取装置において利用される種々の情報やプログラムを格納する役割を有している。
【００５８】
以下、本実施の形態による画像読取装置Ｍにおける処理の詳細について説明する。本実施の形態による画像読取装置Ｍは、原稿ｏｒｇが「文字原稿」であるか、「写真原稿」であるかによって、図６に示す画像処理部１１Ｅ内での画像処理の処理内容を変更する構成となっている。
【００５９】
図９は本発明の第１の実施の形態による画像処理装置における処理の詳細を示すフローチャートであり、図１０〜図１２は画像処理部１１Ｅにおける内部処理（図９のフローチャートにおける処理）を説明するための図である。
【００６０】
４ラインＣＣＤセンサ９から出力されたＲＥＤ、ＧＲＥＥＮ、ＢＬＵＥ、ＢＬＡＣＫのアナログ信号は、図１０に示すように、デジタル信号に変換され画像処理部（処理実行部に相当）１１Ｅに送られる。まず、シェーディング補正部１１Ｅ１において、シェーディング補正（歪み補正）が行われる（Ｓ１０１）。次に、各ラインセンサ間の距離（位置のずれ）の影響を補正するために、ライン間補正部１１Ｅ２によってライン間補正処理が行われる（Ｓ１０２）。次に、処理実行部１０４にて原稿の画像種別に応じた処理の選択を行なう（Ｓ１０３）。原稿ｏｒｇが「文字原稿」であった場合、出力信号は解像度変換部１１Ｅ３へと送られ（Ｓ１０４）、その後、後段の画像処理部へ送られる（図１２を参照）。
【００６１】
具体的に、原稿が「文字原稿」であった場合には、図１０に示す「経路１」をたどり、Ｋ信号、Ｒ信号、Ｇ信号、Ｂ信号はそれぞれ解像度変換部１１Ｅ３に入力され、解像度変換部１１Ｅ３において、解像度変換処理が施される。この解像度変換処理は、Ｋ信号の解像度を元に、Ｒ信号、Ｇ信号、Ｂ信号の解像度を変換する処理である。解像度変換処理を行ったＲｃ信号、Ｇｃ信号、Ｂｃ信号は後段の画像処理部へ送られる（図１２参照）。
【００６２】
一方、原稿ｏｒｇが「写真画像」であった場合は、出力信号を直接、後段の画像処理へ送る（図１１を参照）。
【００６３】
具体的に、原稿が「写真原稿」であった場合、図１０に示す「経路２」をたどり、Ｒ信号、Ｇ信号、Ｂ信号は解像度変換部１１Ｅ３に送られることなく、Ｒｃ信号、Ｇｃ信号、Ｂｃ信号として後段の画像処理部へ送られる。
【００６４】
この処理を用いることにより、文字原稿である場合は、４ラインＣＣＤセンサで読み取ったＲ信号、Ｇ信号、Ｂ信号よりも高い解像度の信号であるＲｃ信号、Ｇｃ信号、Ｂｃ信号に変換され後段の画像処理部へ送られる。写真原稿は、４ラインＣＣＤセンサで読み取ったＲ信号、Ｇ信号、Ｂ信号と同等の解像度である（特別な解像度変換処理が施されていない）Ｒｃ信号、Ｇｃ信号、Ｂｃ信号となり、後段の画像処理部へ送られる。
【００６５】
図１３は文字原稿に対して解像度変換処理を行なわない場合の出力画像を示す図であり、図１４は文字原稿に対して解像度変換処理を行なった場合の出力画像を示す図である。
【００６６】
図１３と図１４を比較すると、図１３は図１４に比べて低い解像度であるため、文字の輪郭が再現されておらず、全体的にぼやけた画像となってしまっている。一方、図１４は、解像度変換処理を行なうことによって、図１３に比べて高解像度の画像となっており、文字の輪郭がしっかりと再現されている。
【００６７】
図１５は、本実施の形態による画像読取装置Ｍにおけるコントロールパネル（操作入力部１０５に相当）の概略図である。このコントロールパネルへの操作入力により、例えばコピー処理を行なう際の画質モード等の選択を行なうことができる。
【００６８】
図１６は、図１５に示すコントロールパネルにおいて、画質モードを選択する際の画面表示例である。画像読取装置Ｍにおけるコピーモードの設定は、デフォルトで「文字モード」になっているものとする。原稿が文書や書類である場合のように、文字が原稿の大部分を占める場合、または文字を重視した読み取りを行ないたい場合は、文字モードを選択する。種別判別部１０３は、この選択入力に基づいて、原稿の画像種別が「文字」であると判別する。
【００６９】
一方、写真やイラストが原稿の大部分を占めている場合や、色の再現性を重視した読み取り処理を行ないたいような場合は、「写真モード」を選択する。種別判別部１０３は、この選択入力に基づいて、原稿の画像種別が「写真」であると判別する。
【００７０】
このように、種別判別部１０３では、ユーザのコントロールパネルへの操作入力に基づいて、原稿の画質モード（画像種別）を判別することができる。
【００７１】
（第２の実施の形態）
続いて、本発明の第２の実施の形態について説明する。
【００７２】
本実施の形態は、上述の第１の実施の形態の変形例であり、その基本的装置構成は、第１の実施の形態と同様である。本実施の形態と第１の実施の形態とは、種別判別部における判別方法が異なっている。
【００７３】
本実施の形態における種別判別部１０３は、第１の画像読取部１０１および第２の画像読取部１０２にて読み取られる画像データに基づいて、読み取り対象物上の画像の画像種別が、上記第１の画像種別および第２の画像種別の内のいずれであるかを判別する。
【００７４】
例えば、第１および第２の画像読取部にて原稿の画像を読み取りながら、種別判別部にて自動的に文字原稿か写真原稿かを識別したり、読取りを行う前に原稿識別用に一度読取りを行う等、自動的に原稿の画像種別を識別するようにすることもできる。
【００７５】
図１７は、上述の各実施の形態による画像読取装置Ｍにおける処理（画像読取方法）のおおまかな流れについて説明するためのフローチャートである。
【００７６】
まず、操作入力部１０５は、ユーザの操作入力を受け付ける（操作入力ステップ）（Ｓ９０１）。ここでの操作入力とは、画像読取装置Ｍにおける原稿読取処理の開始指示や、原稿の画像種別（原稿モード）の設定入力等である。
【００７７】
第１の画像読取部１０１は、第１の解像度で読み取り対象物からモノクロでの画像読み取りを行なう（第１の画像読取ステップ）（Ｓ９０２）。
【００７８】
続いて、第２の画像読取部１０２は、第１の解像度よりも低い第２の解像度で読み取り対象物からカラーでの画像読み取りを行なう（第２の画像読取ステップ）（Ｓ９０３）。なお、本実施の形態では、第１の画像読取部１０１による画像読み取りと、第２の画像読取部１０２による画像読み取りとは同時に実行されるものとしているが、結果として第１および第２の画像読取部における画像読み取りの両方が実行できていればよく、その順序は問わない。
【００７９】
次に、種別判定部１０３は、読み取り対象物上の画像が、輝度解像度を優先する第１の画像種別および色再現性を優先する第２の画像種別の内いずれに該当するかを判別する（種別判別ステップ）（Ｓ９０４）。
【００８０】
なお、種別判別ステップでは、操作入力ステップでの操作入力に基づいて、或いは、第１および第２の画像読取ステップにて読み取られる画像データに基づいて、読み取り対象物上の画像の画像種別を判別する。
【００８１】
そして、処理実行部１０４は、種別判別ステップにて第１の画像種別であると判別される場合に、第２の画像読取ステップにて読み取られる画像データに対して、第１の画像読取ステップにて読み取られる画像データを用いて解像度を「第１の解像度」まで高める解像度変換処理を実行させる（処理実行ステップ）（Ｓ９０５）。
【００８２】
上述の画像読取装置での処理における各ステップは、ＭＥＭＯＲＹ８０２に格納されている画像読取プログラムをＣＰＵ８０１に実行させることにより実現されるものである。
【００８３】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００８４】
このように、上述の各実施の形態によれば、画素数の異なる複数のラインセンサ有し、各ラインセンサの出力信号を合成して画像情報を形成する画像入力装置において、原稿の種類（文字原稿、写真原稿など）によって、画像処理を変更し、出力解像度を変更することにより、文字原稿においては解像度を重視した処理を施すことにより文字の輪郭を鮮明にした画像を得て、写真画像においては解像度を文字原稿の出力信号に比べて低くし、色の再現性を重視した画像を得ることが可能となる。
【００８５】
本発明を特定の態様により詳細に説明したが、本発明の精神および範囲を逸脱しないかぎり、様々な変更および改質がなされ得ることは、当業者には自明であろう。
【図面の簡単な説明】
【００８６】
【図１】本発明の第１の実施の形態による画像読取装置Ｍの概略構成について説明するための概略構成図である。
【図２】制御基板１１の構成について説明するための図である。
【図３】本発明の第１の実施の形態による画像読取装置ＭにおけるＣＣＤラインセンサ９の概略構成図である。
【図４】各フォトダイオードアレイ、シフトゲート、アナログシフトレジスタ、出力ＡＭＰの配置について説明するための図である。
【図５】本実施の形態におけるＣＣＤラインセンサにおけるフォトダイオードアレイの画素サイズについて説明するための図である。
【図６】４ラインＣＣＤセンサ９を構成する各ラインセンサの関係を示す概略図である。
【図７】本実施の形態による画像読取装置における処理の流れについて説明するための図である。
【図８】本実施の形態による画像読取装置Ｍについて説明するための機能ブロック図である。
【図９】本発明の第１の実施の形態による画像処理装置における処理の詳細を示すフローチャートである。
【図１０】画像処理部１１Ｅにおける内部処理（図９のフローチャートにおける処理）を説明するための図である。
【図１１】画像処理部１１Ｅにおける内部処理（図９のフローチャートにおける処理）を説明するための図である。
【図１２】画像処理部１１Ｅにおける内部処理（図９のフローチャートにおける処理）を説明するための図である。
【図１３】文字原稿に対して解像度変換処理を行なわない場合の出力画像を示す図である。
【図１４】文字原稿に対して解像度変換処理を行なった場合の出力画像を示す図である。
【図１５】本実施の形態による画像読取装置Ｍにおけるコントロールパネル（操作入力部１０５に相当）の概略図である。
【図１６】図１５に示すコントロールパネルにおいて、画質モードを選択する際の画面表示例である。
【図１７】本発明の各実施の形態による画像読取装置Ｍにおける処理（画像読取方法）のおおまかな流れについて説明するためのフローチャートである。
【符号の説明】
【００８７】
Ｍ  画像読取装置、１０１  第１の画像読取部、１０２  第２の画像読取部、１０３  種別判別部、１０４  処理実行部、１０５  操作入力部、８０１  ＣＰＵ、８０２  ＭＥＭＯＲＹ、８０３  制御部。
【図１】
2008193684.tif 000003
【図２】
2008193684.tif 000004
【図３】
2008193684.tif 000005
【図４】
2008193684.tif 000006
【図５】
2008193684.tif 000007
【図６】
2008193684.tif 000008
【図７】
2008193684.tif 000009
【図８】
2008193684.tif 000010
【図９】
2008193684.tif 000011
【図１０】
2008193684.tif 000012
【図１１】
2008193684.tif 000013
【図１２】
2008193684.tif 000014
【図１３】
2008193684.tif 000015
【図１４】
2008193684.tif 000016
【図１５】
2008193684.tif 000017
【図１６】
2008193684.tif 000018
【図１７】
2008193684.tif 000019